(57)【要約】      （修正有）【課題】安価に製造することができ、かつ、幅広い用途で使用することができる抗菌・消臭組成物の提供。【解決手段】水に硝酸銀が溶解状態で含有されている抗菌・消臭組成物。更に、硫酸亜鉛を含む抗菌・消臭組成物。更に、炭酸水素カリウムを含む抗菌・消臭組成物。更に、炭酸水素ナトリウムを含む抗菌・消臭組成物。更に、過酸化水素水を含む抗菌・消臭組成物。【選択図】なし【特許請求の範囲】
【請求項１】
水に硝酸銀が溶解状態で含有されていることを特徴とする抗菌・消臭組成物。
【請求項２】
さらに、硫酸亜鉛を含むことを特徴とする請求項１の抗菌・消臭組成物。
【請求項３】
さらに、炭酸水素カリウムを含むことを特徴とする請求項１または２の抗菌・消臭組成物。
【請求項４】
さらに、炭酸水素ナトリウムを含むことを特徴とする請求項１から３のいずれかの抗菌・消臭組成物。
【請求項５】
さらに、過酸化水素水を含むことを特徴とする請求項１から４のいずれかの抗菌・消臭組成物。
【発明の詳細な説明】
【技術分野】
【０００１】
本発明は、抗菌・消臭組成物に関する。
【背景技術】
【０００２】
特許文献１には、モンモリロナイト系粘土鉱物と合成アルミノケイ酸亜鉛とからなるアンモニア吸着性粒状物の表面に、銅化合物及び銀化合物を添着させた消臭剤が記載されている。また、特許文献１には、銀化合物の例として硝酸銀が例示されている。
【先行技術文献】
【特許文献】
【０００３】
【特許文献１】特開２００５−１７６６７３号公報
【発明の概要】
【発明が解決しようとする課題】
【０００４】
しかしながら、特許文献１の消臭剤は、ペット用トイレ砂などの用途に特化したものであるため、例えば、スプレーなどの方式で生活空間に広く使用することができないという問題がある。また、特許文献１の消臭剤は、粘土鉱物などを含むため安価に製造することが難しいという問題がある。
【０００５】
このように、スプレーなどの方式で生活空間等に広く使用することができる安価な抗菌・消臭組成物については、現在まで知られていない。
【０００６】
本発明は、以上のとおりの事情に鑑みてなされたものであり、安価に製造することができ、かつ、幅広い用途で使用することができる抗菌・消臭組成物を提供することを課題としている。
【課題を解決するための手段】
【０００７】
上記の課題を解決するために、本発明の抗菌・消臭組成物は、水に硝酸銀が溶解状態で含有されていることを特徴としている。
【０００８】
この抗菌・消臭組成物では、さらに硫酸亜鉛を含むことが好ましい。
【０００９】
この抗菌・消臭組成物では、さらに炭酸水素カリウムを含むことが好ましい。
【００１０】
この抗菌・消臭組成物では、さらに炭酸水素ナトリウムを含むことが好ましい。
【００１１】
この抗菌・消臭組成物では、さらに、過酸化水素水を含むことが好ましい。
【発明の効果】
【００１２】
本発明の抗菌・消臭組成物は、安価に製造することができ、かつ、幅広い用途で使用することができる。
【発明を実施するための形態】
【００１３】
本発明の抗菌・消臭組成物は、水に硝酸銀が溶解状態で含有されている。
【００１４】
水は精製水であることが好ましく、この精製水に、硝酸銀を添加して溶解させることで抗菌・消臭効果を付与することができる。硝酸銀は、容易に入手することができ、水に溶けやすいため、製造コストを抑えつつも確実に抗菌・消臭効果が付与される。
【００１５】
抗菌・消臭組成物中に含まれる硝酸銀は、1ppm〜300ppmであることが好ましく、10ppm〜150ppmであることがより好ましい。硝酸銀の濃度がこの範囲であると、製造コストを抑えつつも確実に抗菌・消臭効果を確保することができる。
【００１６】
さらに、本発明の抗菌・消臭組成物は、水に硝酸銀が溶解状態で含有されているため、無色透明であるとともに、濁りや変質が抑制されており、品質も安定している。
【００１７】
本発明の抗菌・消臭組成物は、さらに硫酸亜鉛を含むことが好ましい。抗菌・消臭組成物が硫酸亜鉛を含むことによって、抗菌・消臭効果をさらに高めることができる。抗菌・消臭組成物中に含まれる硫酸亜鉛は、1ppm〜1000ppmであることが好ましく、10ppm〜300ppmであることがより好ましい。硫酸亜鉛の濃度がこの範囲であると、製造コストを抑えつつも確実に抗菌・消臭効果を高めることができる。
【００１８】
本発明の抗菌・消臭組成物は、さらに炭酸水素カリウムを含むことが好ましい。抗菌・消臭組成物が炭酸水素カリウムを含むことによって、抗菌・消臭効果をさらに高めることができる。抗菌・消臭組成物中に含まれる炭酸水素カリウムは、100ppm〜10000ppmであることが好ましく、100ppm〜1000ppmであることがより好ましい。炭酸水素カリウムの濃度がこの範囲であると、製造コストを抑えつつも確実に抗菌・消臭効果を高めることができる。
【００１９】
本発明の抗菌・消臭組成物は、さらに炭酸水素ナトリウムを含むことが好ましい。抗菌・消臭組成物が炭酸水素ナトリウムを含むことによって、抗菌・消臭効果をさらに高めることができるため好ましい。抗菌・消臭組成物中に含まれる炭酸水素ナトリウムは、100ppm〜30000ppmであることが好ましく、1000ppm〜5000ppmであることがより好ましい。炭酸水素ナトリウムの濃度がこの範囲であると、製造コストを抑えつつも確実に抗菌・消臭効果を高めることができる。
【００２０】
本発明の抗菌・消臭組成物は、さらに過酸化水素水を含むことが好ましい。抗菌・消臭組成物が過酸化水素水を含むことによって、抗菌・消臭効果をさらに高めることができる。抗菌・消臭組成物中に含まれる過酸化水素水は、10ppm〜1000ppmであることが好ましく、50ppm〜300ppmであることがより好ましい。過酸化水素水の濃度がこの範囲であると、製造コストを抑えつつも確実に抗菌・消臭効果を高めることができる。
【００２１】
本発明の抗菌・消臭組成物は、発明の効果を阻害しない範囲で各種の助剤を添加することができる。このような助剤の例には、公知の抗菌剤・防かび剤、キレート剤、ｐＨ調整剤、界面活性剤、紫外線吸収剤、抗酸化剤、乳化剤、香料、着色料、水溶性高分子、アルコール類、蛍光増白剤、粘度調整剤、発泡剤などが挙げられる。
【００２２】
本発明の抗菌・消臭組成物は、例えば、水溶液、スプレー、クリーム、ペースト、ゲル、ジェル、粉末、顆粒等の形態で使用することができる。本発明の抗菌・消臭組成物は、水溶性であることから、水溶液やスプレーとして使用することが特に好ましい。また、本発明の抗菌・消臭組成物は、例えば、除菌剤や消臭剤、洗浄剤、香粧品、塗料、接着又は粘着剤、繊維抗菌加工処理剤などとして添加することができる。
【００２３】
本発明の抗菌・消臭組成物は、硝酸銀を主成分としたシンプルな組成であり、製造コストを抑えつつも優れた抗菌・消臭効果を実現している。また、本発明の抗菌・消臭組成物は、硝酸銀に加え、硫酸亜鉛、炭酸水素カリウム、炭酸水素ナトリウム、過酸化水素水などを添加することができるが、この場合、各成分は溶解が容易であり、分離が生じ難い。このため、本発明の抗菌・消臭組成物は、抗菌・消臭効果を高めつつも品質が安定しており、濁りや変質が抑制され、無色透明を維持することができる。このため、様々な用途に使用することができ、製品としての高い付加価値を有している。
【００２４】
本発明の抗菌・消臭組成物は、上記の形態に限定されることはない。例えば、抗菌・消臭組成物に含まれる成分の濃度は、用途や使用対象に応じて適宜設定することができる。